(57)【要約】【課題】  本発明はホームサーバを含むネットワークサーバに対する屋内及び遠隔地からの接続を実現させる。【解決手段】  モデム通信機器３（MS）は、接続されたパーソナルエレクトロニクス機器１（PEi）の機能毎に割り当てられる識別番号を認識し、電話回線を介して接続されたインターネット６上のアプリケーションサーバ８からパーソナルエレクトロニクス機器１（PEi）の識別番号に対応する所定のプロファイルデータ１７をダウンロードし、ダウンロードされたプロファイルデータ１７のパーソナルエレクトロニクス機器１（PEi）における起動により、電話回線を介して接続されたインターネット６上の希望のホームサーバ９（HS）にアクセスして、ホームサーバ９（HS）とパーソナルエレクトロニクス機器１（PEi）電子機器とを通信可能にするものである。【選択図】        図１
2005159471.tif 000002
【特許請求の範囲】
【請求項１】
複数の電子機器に接続され、電話回線を介して通信を可能とする通信装置において、
接続された電子機器の機能毎に割り当てられる識別番号を認識する認識手段と、
上記電話回線を介して接続されたアクセスポイントからネットワーク上の設定用のサーバ装置にアクセスして、上記設定用のサーバ装置から上記電子機器の識別番号に対応する所定のデータをダウンロードする取得手段と、
ダウンロードされた上記データの上記電子機器における起動により、上記電話回線を介して接続された上記アクセスポイントから上記ネットワーク上の希望のサーバ装置にアクセスして、上記サーバ装置と上記電子機器とを通信可能にする接続手段と、
を備えたことを特徴とする通信装置。
【請求項２】
請求項１記載の通信装置において、
上記データは、上記電子機器の機能を実行するためのプロファイルデータであることを特徴とする通信装置。
【請求項３】
請求項１記載の通信装置において、
上記識別番号及び上記電話回線接続時の電話番号を用いて上記電子機器及び上記サーバ装置における認証鍵が生成されることを特徴とする通信装置。
【請求項４】
通信装置に接続され、上記通信装置により電話回線を介して通信が可能となる複数の電子機器において、
各電子機器の機能毎に割り当てられる識別番号を接続された上記通信装置に通知する通知手段と、
上記通信装置及び上記電話回線を介して接続されたアクセスポイントからネットワーク上の設定用のサーバ装置にアクセスして、上記設定用のサーバ装置から接続に応じた識別番号に対応する所定のデータをダウンロードする取得手段と、
ダウンロードされた上記データの起動により、上記通信装置及び上記電話回線を介して接続された上記アクセスポイントから上記ネットワーク上の希望のサーバ装置にアクセスして、上記サーバ装置と通信可能にする接続手段と、
を備えたことを特徴とする電子機器。
【請求項５】
請求項４記載の電子機器において、
上記データは、上記通信装置に接続された電子機器の機能を実行するためのプロファイルデータであり、上記プロファイルデータにより上記サーバ装置との通信機能が有効となることを特徴とする電子機器。
【請求項６】
請求項４記載の電子機器において、
上記識別番号及び上記電話回線接続時の電話番号を用いて認証鍵が生成されることを特徴とする電子機器。
【請求項７】
通信装置が接続される複数の電子機器との間で、上記通信装置及び電話回線を介してネットワーク上で通信が可能となるサーバ装置において、
各電子機器の機能毎に割り当てられる識別番号に対応する所定のデータが上記通信装置及び上記電話回線を介して接続されたネットワーク上の設定用のサーバ装置からダウンロードされ、上記データの起動による上記電子機器からの上記通信装置及び上記電話回線を介した上記ネットワーク上へのアクセスに対して、上記電子機器と通信可能にする接続手段と、
上記電子機器からの要求に応じて、上記電子機器から送信されるデータの受信又は上記電子機器へのデータの送信を行う送受信手段と
を備えたことを特徴とするサーバ装置。
【請求項８】
請求項７記載のサーバ装置において、
上記データは、上記通信装置に接続された電子機器の機能を実行するためのプロファイルデータであり、上記プロファイルデータにより上記電子機器との通信機能が有効となることを特徴とするサーバ装置。
【請求項９】
請求項７記載のサーバ装置において、
上記識別番号及び上記電話回線接続時の電話番号を用いて認証鍵が生成されることを特徴とするサーバ装置。
【請求項１０】
通信装置が接続される複数の電子機器とネットワーク上のサーバ装置との間で、上記通信装置及び電話回線を介してネットワーク上で通信が可能となるようにネットワーク接続を行うネットワーク接続システムにおいて、
接続された電子機器の機能毎に割り当てられる識別番号を認識し、上記電話回線を介してネットワーク上の設定用のサーバ装置にアクセスして、上記設定用のサーバ装置から上記電子機器の識別番号に対応する所定のデータをダウンロードし、ダウンロードされた上記データの上記電子機器における起動により、上記電話回線を介して上記ネットワーク上の希望のサーバ装置にアクセスして、上記サーバ装置と上記電子機器とを通信可能にする通信装置と、
上記識別番号を接続された上記通信装置に通知し、上記通信装置及び上記電話回線を介して上記ネットワーク上の設定用のサーバ装置にアクセスして、上記設定用のサーバ装置から接続に応じた識別番号に対応する所定のデータをダウンロードし、ダウンロードされた上記データの起動により、上記通信装置及び上記電話回線を介して上記ネットワーク上の希望のサーバ装置にアクセスして、上記サーバ装置と通信可能にする電子機器と、
上記識別番号に対応する所定のデータが上記通信装置及び上記電話回線を介して接続された上記ネットワーク上の設定用のサーバ装置からダウンロードされ、上記データの起動による上記電子機器からの上記通信装置及び上記電話回線を介した上記ネットワーク上へのアクセスに対して、上記電子機器と通信可能にし、上記電子機器からの要求に応じて、上記電子機器から送信されるデータの受信又は上記電子機器へのデータの送信を行うサーバ装置と、
を備えたことを特徴とするネットワーク接続システム。
【請求項１１】
請求項１０記載のネットワーク接続システムにおいて、
上記データは、上記通信装置に接続された電子機器の機能を実行するためのプロファイルデータであり、上記プロファイルデータにより上記電子機器と上記サーバ装置との通信機能が有効となることを特徴とするネットワーク接続システム。
【請求項１２】
請求項１０記載のネットワーク接続システムにおいて、
上記識別番号及び上記電話回線接続時の電話番号を用いて上記電子機器及び上記サーバ装置における認証鍵が生成されることを特徴とするネットワーク接続システム。
【発明の詳細な説明】
【技術分野】
【０００１】
本発明は、複数の電子機器に接続され、電話回線を介して通信を可能とする通信装置、電子機器、サーバ装置及びネットワーク接続システムに関する。
【背景技術】
【０００２】
近年の携帯電話は通話機能のみならず、携帯端末としてのPDA（Personal Digital Assistant）と同等な機能を有するようになっている。
【０００３】
また、特許文献1には、消費者が、この消費者のプレファレンスに応じたオペレーションのためにコンシューマエレクトロニクスシステム（CEシステム）をプログラムすることを可能にした方法であって、この消費者が、プレファレンスに応じてCEシステムをプログラムするための制御データを生成するサーバ上のアプリケーションとネットワークを介して対話することを可能にした方法が開示されている。
【特許文献１】特表2003-520376号公報
【発明の開示】
【発明が解決しようとする課題】
【０００４】
上述した携帯電話は、小型でしかも処理能力が十分とはいえない１チップCPU（Central Processing Unit）で構築されるシステムであるため、LCD（Liquid Crystal Device）の描画処理やリアルタイム処理にそのパフォーマンスを十分に出力できなかったという不都合があった。
【０００５】
上述において、処理が実現はされてもその品質が十分でないアプリケーション例として、第1に静止画、動画のLCD出力速度や描画更新処理、第2に音楽再生性能、第3にカメラの画質精度、第４にデジタル放送受信が挙げられる。
【０００６】
本発明はホームサーバを含むネットワークサーバに対する屋内及び遠隔地からの接続を実現させることである。従って通信には事業者通信網を利用する必要があるが、本発明ではこの網を利用してサーバとの認証接続を行い、アプリケーションのサービスビジネスに適用可能なものである。
【課題を解決するための手段】
【０００７】
上記課題を解決し、本発明の目的を達成するため、本発明の通信装置は、接続された電子機器の機能毎に割り当てられる識別番号を認識する認識手段と、電話回線を介して接続されたアクセスポイントからネットワーク上の設定用のサーバ装置にアクセスして、設定用のサーバ装置から電子機器の識別番号に対応する所定のデータをダウンロードする取得手段と、ダウンロードされたデータの電子機器における起動により、電話回線を介して接続されたアクセスポイントからネットワーク上の希望のサーバ装置にアクセスして、サーバ装置と電子機器とを通信可能にする接続手段とを備えたものである。
【０００８】
電子機器毎に通信事業者に接続し、接続される電子機器に特化したプロファイルデータをある設定用のサーバ装置からダウンロードすることで、接続される電子機器に応じたアプリケーションを動作させることができる。またこのプロファイルは希望のサーバ装置への接続の際のユーザ認証の認証鍵の役割も担う。また通信装置は電子機器毎に取り外し可能である。
【０００９】
また、本発明の電子機器は、各電子機器の機能毎に割り当てられる識別番号を接続された通信装置に通知する通知手段と、通信装置及び電話回線を介して接続されたアクセスポイントからネットワーク上の設定用のサーバ装置にアクセスして、設定用のサーバ装置から接続に応じた識別番号に対応する所定のデータをダウンロードする取得手段と、ダウンロードされたデータの起動により、通信装置及び電話回線を介して接続されたアクセスポイントからネットワーク上の希望のサーバ装置にアクセスして、サーバ装置と通信可能にする接続手段とを備えたものである。
【００１０】
電子機器毎に通信装置を介して通信事業者に接続し、通信装置とその接続される電子機器に特化したプロファイルデータをある設定用のサーバ装置からダウンロードすることで、通信装置に接続される電子機器に応じたアプリケーションを動作させることができる。またこのプロファイルは希望のサーバ装置への接続の際のユーザ認証の認証鍵の役割も担う。また通信装置は電子機器毎に取り外し可能である。
【００１１】
また、本発明のサーバ装置は、各電子機器の機能毎に割り当てられる識別番号に対応する所定のデータが通信装置及び電話回線を介して接続されたネットワーク上の設定用のサーバ装置からダウンロードされデータの起動による、電子機器からの通信装置及び電話回線を介したネットワーク上へのアクセスに対して、電子機器と通信可能にする接続手段と、電子機器からの要求に応じて、電子機器から送信されるデータの受信又は電子機器へのデータの送信を行う送受信手段とを備えたものである。
【００１２】
電子機器毎に通信装置を介して通信事業者に接続し、通信装置とその接続される電子機器に特化したプロファイルデータをある設定用のサーバ装置からダウンロードすることで、通信装置に接続される電子機器に応じたアプリケーションを動作させることができる。またこのプロファイルは希望のサーバ装置への接続の際のユーザ認証の認証鍵の役割も担う。また通信装置は電子機器毎に取り外し可能である。
【００１３】
また、本発明のネットワーク接続システムは、接続された電子機器の機能毎に割り当てられる識別番号を認識し、電話回線を介してネットワーク上の設定用のサーバ装置にアクセスして、設定用のサーバ装置から電子機器の識別番号に対応する所定のデータをダウンロードし、ダウンロードされたデータの電子機器における起動により、電話回線を介してネットワーク上の希望のサーバ装置にアクセスして、サーバ装置と電子機器とを通信可能にする通信装置と、識別番号を接続された通信装置に通知し、通信装置及び電話回線を介してネットワーク上の設定用のサーバ装置にアクセスして、設定用のサーバ装置から接続に応じた識別番号に対応する所定のデータをダウンロードし、ダウンロードされたデータの起動により、通信装置及び電話回線を介してネットワーク上の希望のサーバ装置にアクセスして、サーバ装置と通信可能にする電子機器と、識別番号に対応する所定のデータが通信装置及び電話回線を介して接続されたネットワーク上の設定用のサーバ装置からダウンロードされ、データの起動による電子機器からの通信装置及び電話回線を介したネットワーク上へのアクセスに対して、電子機器と通信可能にし、電子機器からの要求に応じて、電子機器から送信されるデータの受信又は電子機器へのデータの送信を行うサーバ装置とを備えたものである。
【００１４】
電子機器毎に通信装置を介して通信事業者に接続し、通信装置とその接続される電子機器に特化したプロファイルデータをある設定用のサーバ装置からダウンロードすることで、通信装置に接続される電子機器に応じたアプリケーションを動作させることができる。またこのプロファイルは希望のサーバ装置への接続の際のユーザ認証の認証鍵の役割も担う。また通信装置は電子機器毎に取り外し可能である。
【発明の効果】
【００１５】
この通信装置により、接続された電子機器に応じた識別番号に対応する所定のデータであるプロファイルによってのみサーバ装置との通信網接続が可能となる。ここで、接続対象の電子機器は特定されず、所定のデータがダウンロードされる電子機器全般が可能となる。この所定のデータによってのみ電子機器のユーザの認証が実行され、いわばソフトキーの役割をも担うことができる。
【００１６】
この電子機器により、通信装置への接続に応じた識別番号に対応する所定のデータであるプロファイルによってのみサーバ装置との通信網接続が可能となる。ここで、通信装置の接続対象は特定されず、所定のデータがダウンロードされる電子機器全般が可能となる。この所定のデータによってのみユーザの認証が実行され、いわばソフトキーの役割をも担うことができる。
【００１７】
このサーバ装置により、通信装置に接続された電子機器に応じた識別番号に対応する所定のデータであるプロファイルによってのみ通信網接続が可能となる。ここで、通信装置の接続対象の通信装置は特定されず、所定のデータがダウンロードされる電子機器全般が可能となる。この所定のデータによってのみ電子機器のユーザの認証が実行され、いわばソフトキーの役割をも担うことができる。
【００１８】
このネットワーク接続システムにより、通信装置に接続された電子機器に応じた識別番号に対応する所定のデータであるプロファイルによってのみサーバ装置との通信網接続が可能となる。ここで、通信装置の接続対象の通信装置は特定されず、所定のデータがダウンロードされる電子機器全般が可能となる。この所定のデータによってのみ電子機器のユーザの認証が実行され、いわばソフトキーの役割をも担うことができる。
【発明を実施するための最良の形態】
【００１９】
図１に本発明におけるプロファイルによるネットワーク接続システムを示す。
図１において、カメラ一体型記録装置や携帯音楽再生装置等の複数のパーソナルエレクトロニクス機器１‐１〜１‐n（PE:Personal Electronics Equipment）は、USB（Universal Serial Bass）２を介してモデム通信機器３（MS：Mobile Station）に接続される。製造業者の担う通信端末としてはモデム特化のモデム通信機器３を通信業者に供給する。なお、USBに限らず、例えば、W−CDMA（Wideband‐Code Division Multiple Access）やGSM（Global System for Mobile communication)等の無線電話回線網や、ブルートゥース、非接触ICによる近距離通信でもよい。
【００２０】
このモデム通信機器３をパーソナルエレクトロニクス機器１に接続した状態でアクセスネットワーク４（AN:Access Network）及び移動通信交換局５（MSN: Mobile Switching Center）を介して、インターネット６などの通信事業者網へ接続を行う。ここで、パーソナルエレクトロニクス機器１（PE）は１つとは特定されないため、パーソナルエレクトロニクス機器１（PEi(i＝1,2、…)）と表記する。
【００２１】
このときパーソナルエレクトロニクス機器１（PEi）と、パーソナルエレクトロニクス機器１（PEi）からアクセスするホームサーバ９−１〜９−n（HS：Home Server、ここでは接続を希望するサーバをHSとして説明する）のそれぞれにおいてユーザの認証を行う必要がある。
【００２２】
そこで、アプリケーションサーバ８（AS:Application Server）からプロファイルダウンロード１４によりパーソナルエレクトロニクス機器１−１〜１−n（PEi）に提供されるプロファイル１５−１〜１５−nにより、プライベートキー１６−１〜１６−nによる認証処理、及びモデム通信機器３に接続されるパーソナルエレクトロニクス機器１（PEi）でのみ実行できるアプリケーションを提供する。
【００２３】
ここで、プロファイル１７は、詳細には、機能１のサーバアクセスのためのダイヤルアップ１７−１、機能２のプライベートキー１７−２、機能３〜機能ｘのアプリケーション１８−１〜１８−Iにより構成される。なお、元々パーソナルエレクトロニクス機器１（PEi）内にあった拡張機能を有効にすることもできる。
【００２４】
プロファイル１５−１〜１５−nは原則モデム通信機器３（MS）とパーソナルエレクトロニクス機器１（PEi）の一対の接続に対して一つのプロファイルが割り当てられる。これは、モデム通信機器３（MS）と接続時に各パーソナルエレクトロニクス機器１−１〜１−n（PEi）の機能毎に割り当てられる識別番号であるESN（Electrical Serial Number,電子シリアルナンバー、以後PE-ESNという）に対応するプロファイル１５−１〜１５−nがアプリケーションサーバ８（AS）に割り当てられてアクセス可能に保存されるからである。
【００２５】
モデム通信機器３（MS）とパーソナルエレクトロニクス機器１（PEi）の接続はUSB２による接続とする。これは通信を行う両機器間のデータレートの最大容量を許容させると同時にデバイス層及びファンクション層から接続される機器毎に機器の記録、再生等の機能を認識するためである。
【００２６】
パーソナルエレクトロニクス機器１（PEi）の屋内・遠隔地からのインターネット６などの通信事業者網への接続のため、パーソナルエレクトロニクス機器１（PEi）のモデム通信機器３（MS）への接続インターフェースとしてUSB２を用意する必要がある。ここでは、パーソナルエレクトロニクス機器１（PEi）と、USB２と、モデム通信機器３（MS）とが別体である例を示しているが、これに限らず、これらを一体で構成してもよい。
【００２７】
モデム通信機器３（MS）はパーソナルエレクトロニクス機器１（PEi）との接続時にアクセスネットワーク４及び移動通信交換局５を介して、インターネット６などの通信事業者網へ接続する。このときモデム通信機器３（MS）は十分に電波環境のよいところでこれを実行しなければならない。
【００２８】
この接続において、モデム通信機器３（MS）はインターネット６などの事業者網を通じ、パーソナルエレクトロニクス機器１（PEi）もしくはモデム通信機器３（MS）の製造業者、あるいは通信事業者のアプリケーションサーバ８（AS）へ接続を行い、パーソナルエレクトロニクス機器１−１〜１−n（PEi）に特化したプロファイル１５−１〜１５−nをダウンロードする。このプロファイル１５−１〜１５−nの設計・製造販売利益は製造業者に帰着する。
【００２９】
このプロファイル１５−１〜１５−nによってパーソナルエレクトロニクス機器１（PEi）をモデム通信機器３（MS）及びインターネット６を介してホームサーバ９−１〜９−n（HS）に接続するユーザの認証を行い、プリセットされたサーバに対するアクセスや任意のサーバへアクセスすることを許可する。
【００３０】
このときのプロファイルは予めモデム通信機器３（MS）とパーソナルエレクトロニクス機器１（PEi）との接続の際のネゴシエーションでパーソナルエレクトロニクス機器１（PEi）からモデム通信機器３（MS）に通知されてモデム通信機器３（MS）で認識されるパーソナルエレクトロニクス機器１−１〜１−n（PEi）の機能毎に割り当てられる識別番号であるESN（PE-ESN）によって、それに特化したプロファイル１５−１〜１５−nをダウンロードする。ユーザのインターネット６などの網への接続利用料金は通信事業者によって課金される。ここで、ESN（PE-ESN）はUSB２のデバイス層及びファンクション層からモデム通信機器３（MS）で認識される。
【００３１】
図1に示すようにホームサーバ９−１〜９−n（HS）及びネットワーク６上のアプリケーションサーバ８（AS）及びコンテンツサーバ７への接続を許可するにはサーバ側とクライアント側がそれぞれ秘密鍵であるプライベートキーを持つ必要がある。これはホームサーバ９−１〜９−n（HS）がユーザであるモデム通信機器３（MS）の認証を確認する必要があるからである。
【００３２】
この秘密鍵であるプライベートキーを生成するのに必要なデータがモデム通信機器３（MS）の携帯電話の番号（IMSI:International Mobile Station Identity）と接続対象機器のパーソナルエレクトロニクス機器１−１〜１−n（PEi）のESN（PE-ESN）が鍵生成の種となる。
【００３３】
ホームサーバ９−１〜９−n（HS）を制御するホームサーバマネージャ１０（HS-MGR :Home Server Manager以後HS-MGR）は、モデム通信機器３（MS）の携帯電話の番号１１−１（IMSI１）及びパーソナルエレクトロニクス機器１−１（PEi）のESN１１−２（PE-ESN１）からプライベートキー１を生成し、・・・モデム通信機器３（MS）の携帯電話の番号１２−１（IMSIn）及びパーソナルエレクトロニクス機器１−n（PEi）のESN１2−２（PE-ESNn）からプライベートキーnを生成し、これらを保存すると共に、コンテンツ１３−１（１）・・・コンテンツ１３−n（n）を保存する。
【００３４】
ここで、上述したネットワーク接続システムにおいて、モデム通信機器３（MS）は、接続されたパーソナルエレクトロニクス機器１（PEi）の機能毎に割り当てられる識別番号を認識し、電話回線を介してインターネット６上の設定用のサーバ装置にアクセスして、設定用のアプリケーションサーバ８（AS）からパーソナルエレクトロニクス機器１（PEi）の識別番号に対応する所定のプロファイルデータをダウンロードし、ダウンロードされたプロファイルデータのパーソナルエレクトロニクス機器１（PEi）における起動により、電話回線を介してインターネット６上の希望のホームサーバ９−１〜９−n（HS）にアクセスして、ホームサーバ９−１〜９−n（HS）とパーソナルエレクトロニクス機器１（PEi）とを通信可能にするように構成される。
【００３５】
また、パーソナルエレクトロニクス機器１（PEi）は、識別番号を接続されたモデム通信機器３（MS）に通知し、モデム通信機器３（MS）及び電話回線を介してインターネット６上の設定用のアプリケーションサーバ８（AS）にアクセスして、設定用のアプリケーションサーバ８（AS）から接続に応じた識別番号に対応する所定のプロファイルデータをダウンロードし、ダウンロードされたプロファイルデータの起動により、モデム通信機器３（MS）及び電話回線を介してインターネット６上の希望のホームサーバ９−１〜９−n（HS）にアクセスして、ホームサーバ９−１〜９−n（HS）と通信可能にするように構成される。
【００３６】
また、ホームサーバ９−１〜９−n（HS）は、識別番号に対応する所定のプロファイルデータがモデム通信機器３（ME）及び電話回線を介して接続されたたインターネット６上の設定用のアプリケーションサーバ８（AS）からダウンロードされ、プロファイルデータの起動によるパーソナルエレクトロニクス機器１（PEi）からのモデム通信機器３（MS）及び電話回線を介したインターネット６上へのアクセスに対して、パーソナルエレクトロニクス機器１（PEi）と通信可能にし、パーソナルエレクトロニクス機器１（PEi）からの要求に応じて、パーソナルエレクトロニクス機器１（PEi）から送信されるデータの受信又はパーソナルエレクトロニクス機器１（PEi）へのデータの送信を行うように構成される。
【００３７】
図２は、ホームサーバ、モデム通信機器及びパーソナルエレクトロニクス機器のブロック図である。
図２において、パーソナルエレクトロニクス機器１（PEi）は、制御部２３から制御ライン２１を介してメモリ２４及びUSB２５に制御信号が供給される。ダウンロード時には、制御部２３から供給されるダウンロード制御信号により、USBケーブル２を介してUSB通信部２５で受信されるモデム通信機器３（MS）からのデータをデータライン２２を介してメモリ２４に記憶する。アップロード時には、制御部２３から供給されるアップロード制御信号により、メモリ２４に記憶されているデータを読み出してデータライン２２を介してUSB通信部２５からUSBケーブル２を介してモデム通信機器３（MS）へ送信される。
【００３８】
ここで、制御部２３及びUSB通信部２５は、各パーソナルエレクトロニクス機器１（PEi）の機能毎に割り当てられる識別番号を接続されたモデム通信機器３（MS）に通知する通知手段を構成する。制御部２３及びUSB通信部２５は、モデム通信機器３（MS）及び電話回線を介して接続されたアクセスネットワーク４からインターネット６上の設定用のアプリケーションサーバにアクセスして、設定用のアプリケーションサーバから接続に応じた識別番号に対応する所定のプロファイルデータをダウンロードする取得手段を構成する。制御部２３及びUSB通信部２５は、ダウンロードされたプロファイルデータの起動により、モデム通信機器３（MS）及び電話回線を介して接続されたアクセスネットワーク４からインターネット６上の希望のホームサーバ９（HS）にアクセスして、ホームサーバ９（HS）と通信可能にする接続手段を構成する。
【００３９】
モデム通信機器３（MS）は、制御部２８から制御ライン２６を介して通信回路２９、メモリ３０及びUSB３１に制御信号が供給される。ダウンロード時には、制御部２８から供給されるダウンロード制御信号により、インターネット６及びアクセスネットワーク４を介して通信回路２９で受信されるホームサーバ９（HS）からのデータをデータライン２７を介してメモリ３０に記憶すると共にUSB通信部３１からUSBケーブル２を介してパーソナルエレクトロニクス機器１（PEi）へ送信される。アップロード時には、制御部２８から供給されるアップロード制御信号により、USB通信部３１からUSBケーブル２を介して受信されてメモリ２４に記憶されているパーソナルエレクトロニクス機器１（PEi）からのデータを読み出してデータライン２７を介して通信回路２９からアクセスネットワーク４及びインターネット６を介してホームサーバ９（HS）へ送信される。
【００４０】
ここで、制御部２８及びUSB通信部３１は、接続されたパーソナルエレクトロニクス機器１（PEi）の機能毎に割り当てられる識別番号を認識する認識手段を構成する。制御部２８及び通信回路２９は、通信回路２９による電話回線を介して接続されたアクセスネットワーク４からインターネット６上の設定用のアプリケーションサーバにアクセスして、設定用のアプリケーションサーバからパーソナルエレクトロニクス機器１（PEi）の識別番号に対応する所定のプロファイルデータをダウンロードする取得手段を構成する。制御部２８及び通信回路２９は、ダウンロードされたプロファイルデータのパーソナルエレクトロニクス機器１（PEi）における起動により、通信回路２９による電話回線を介して接続されたアクセスネットワーク４からインターネット６上の希望のホームサーバ９（HS）にアクセスして、ホームサーバ９（HS）とパーソナルエレクトロニクス機器１（PE）を通信可能にする接続手段を構成する。
【００４１】
ホームサーバ９（HS）は、制御部３４から制御ライン３２を介してメモリ３５、スピーカ３６及び表示部３７に制御信号が供給される。ダウンロード時には、制御部３４から供給されるダウンロード制御信号により、メモリ３５に記憶されているデータを読み出してデータライン３３から直接インターネット６及びアクセスネットワーク４を介してモデム通信機器３（MS）へ送信される。アップロード時には、制御部３４から供給されるアップロード制御信号により、アクセスネットワーク４及びインターネット６を介して受信されるモデム通信機器３（MS）からのデータをメモリ３０に記憶すると共にスピーカ３６及び表示部３７に供給して音響出力及び表示出力させる。
【００４２】
ここで、制御部３４は、各パーソナルエレクトロニクス機器１（PEi）の機能毎に割り当てられる識別番号に対応する所定のプロファイルデータがモデム通信機器３（MS）及びアクセスネットワーク４からの電話回線を介して接続されたインターネット６上の設定用のアプリケーションサーバからダウンロードされプロファイルデータの起動による、パーソナルエレクトロニクス機器１（PEi）からのモデム通信機器３（MS）及びアクセスネットワーク４からの電話回線を介したインターネット６上へのアクセスに対して、パーソナルエレクトロニクス機器１（PEi）と通信可能にする接続手段を構成する。制御部３４は、パーソナルエレクトロニクス機器１（PEi）からの要求に応じて、パーソナルエレクトロニクス機器１（PEi）から送信されるデータの受信又はパーソナルエレクトロニクス機器１（PE）へのデータの送信を行う送受信手段を構成する。
【００４３】
図３に接続タイムチャートを示す。
まずサーバ側のホームサーバ９−１〜９−n（HS）について述べる。サーバ側のホームサーバ９−１〜９−n（HS）は例えばパーソナルコンピュータ（PC）を例にとると、そのパーソナルコンピュータ（PC）上で動作する制御ソフトウエアであるホームサーバマネージャ１０（HS-MGR）が必要になる。これはモデム通信機器３（MS）の製造業者もしくはパーソナルエレクトロニクス機器１（PEi）の製造業者が供給し、販売元は通信事業者でもよい。
【００４４】
Ｔ１時点で、クライアント側でモデム通信機器３（MS）とパーソナルエレクトロニクス機器１（PEi）との接続の際のネゴシエーション４１が行われる。このときパーソナルエレクトロニクス機器１（PEi）からモデム通信機器３（MS）にモデム通信機器３（MS）で認識されるパーソナルエレクトロニクス機器１−１〜１−n（PEi）の機能毎に割り当てられる識別番号であるESN（PE-ESN）が通知される。
【００４５】
Ｔ２時点で、クライアント側でモデム通信機器３（MS）からアクセスネットワーク４（AN）へ電話回線の接続要求である発呼４２が行われる。このとき、４５で示すように、サーバ側でホームサーバマネージャ１０（HS-MGR）によりモデム通信機器３（MS）の携帯電話の番号（IMSI）が登録される。
【００４６】
Ｔ３時点で、クライアント側でアクセスネットワーク４（AN）からアプリケーションサーバ８（AS）へプロファイル要求４３が行われる。
【００４７】
Ｔ４時点で、クライアント側でアプリケーションサーバ８（AS）からパーソナルエレクトロニクス機器１（PEi）へプロファイルダウンロード４３が行われる。このように、モデム通信機器３（MS）とパーソナルエレクトロニクス機器１（PEi）をUSB２を介して接続し、モデム通信機器３（MS）が電源オンすると通信事業者網を介してアプリケーションサーバ４（AS）へ接続され、このプロファイルがパーソナルエレクトロニクス機器１（PEi）にダウンロードされる。このとき、４６で示すように、サーバ側でホームサーバマネージャ１０（HS-MGR）によりパーソナルエレクトロニクス機器１−１〜１−n（PEi）の機能毎に割り当てられる識別番号であるESN（PE-ESN）が登録される。
【００４８】
Ｔ５時点で、クライアント側でパーソナルエレクトロニクス機器１（PEi）はダウンロードされたプロファイル１７に対して、４８で示すように、プロファイル起動４８を行う。このとき、４７で示すように、サーバ側でホームサーバマネージャ１０（HS-MGR）により秘密鍵生成が行われる。
【００４９】
上述したように、モデム通信機器３（MS）の持つ電話番号（IMSI）とモデム通信機器３（MS）に接続されるパーソナルエレクトロニクス機器１（PEi）のシリアル番号（PE-ESN）が登録されるので、この２つの種から秘密鍵がホームサーバマネージャ１０（HS-MGR）により生成される。このときの暗号化はある種の暗号化アルゴリズムに従うものとする。セキュリティレベルとしてさらにモデム通信機器３（MS）をハードキーとしてもよい。
【００５０】
次に、クライアント側について述べる。
Ｔ６時点で、クライアント側でダウンロードされたプロファイルの機能によりパーソナルエレクトロニクス機器１（PEi）はモデム通信機器３（MS）とのセッションで４９に示すように電話番号（IMSI）を要求して、Ｔ７時点で、５０に示すように電話番号（IMSI）を返信で提供してもらう。こうすることで、Ｔ８時点で、パーソナルエレクトロニクス機器１（PEi）上のプロファイル１７はモデム通信機器３（MS）の持つ電話番号（IMSI）と接続されるパーソナルエレクトロニクス機器１（PEi）のシリアル番号（PE-ESN）とから５１で示すように秘密鍵を計算により生成できるため、サーバ側の持つ秘密鍵と同一のものを得ることができる。
【００５１】
Ｔ９時点で、５２に示すようにパーソナルエレクトロニクス機器１（PEi）上のプロファイル１７はモデム通信機器３（MS）に発呼要求を行う。Ｔ１０時点で、モデム通信機器３（MS）からアクセスネットワーク４（AN）へ電話回線の接続要求である発呼４２が行われる。
【００５２】
Ｔ１１時点で、アクセスネットワーク４（AN）からホームサーバ９（HS）へ接続要求５４が行われる。
Ｔ１２時点で、ホームサーバ９（HS）からホームサーバマネージャ１０（HS-MGR）へ認証要求５５が行われる。
【００５３】
Ｔ１３時点で、ホームサーバマネージャ１０（HS-MGR）では認証処理５６が行われる。
Ｔ１４時点で、５７に示すようにホームサーバマネージャ１０（HS-MGR）はパーソナルエレクトロニクス機器１（PEi）に対して暗号化データのサービスを開始する。
Ｔ１５時点で、５８に示すようにパーソナルエレクトロニクス機器１（PEi）はホームサーバマネージャ１０（HS-MGR）に対して切断要求を行う。
【００５４】
このようにしてモデム通信機器３（MS）に接続されたパーソナルエレクトロニクス機器１（PEi）との組み合わせでしかサーバにアクセスできないシステムとセキュリティが確立する。ここで生成した秘密鍵はホームサーバ等からデータをインターネット経由でダウンロードする際の暗号鍵としても利用できる。この機能を用いることで接続対象機器パーソナルエレクトロニクス機器１（PEi）に入力装置がない場合に有効になる。なお、プロファイルをダウンロードする前に事前にPKI（Public key Infrastructure）等を用いてアプリケーションサーバ８（AS）と認証することができる。
【００５５】
以下に、パーソナルエレクトロニクス機器１（PEi）として以下の電子機器を例にとって接続例を示す。
パーソナルエレクトロニクス機器１（PEi）が携帯音楽再生装置の場合には、次のようになる。
【００５６】
まず、ユーザは音楽データが記録されたコンパクトディスク（CD）を購入し、ホームサーバ９（HS）上にその音楽データを直接記録媒体を介してホームサーバ９（HS）に保存させて一括管理させる。なお、音楽データはプロファイル取得後にアップロードしてもよい。
【００５７】
ユーザは通信事業者よりモデム通信機器３（MS）を購入して、パーソナルエレクトロニクス機器１（PEi）の携帯音楽再生装置とモデム通信機器３（MS）をUSB2を介して接続する。
【００５８】
パーソナルエレクトロニクス機器１（PEi）の携帯音楽再生装置とモデム通信機器３（MS）の双方のネゴシエーションにより音楽再生に特化された音楽再生用プロファイルをアプリケーションサーバ８（AS）よりパーソナルエレクトロニクス機器１（PEi）の携帯音楽再生装置にダウンロードする。
【００５９】
このときのプロファイルは予め製造業者等により提供されてアプリケーションサーバ８（AS）に保存されている。また、網接続に対する課金は通信事業者により行われ、プロファイル取得による課金は製造業者等により行われる。
【００６０】
出張先からパーソナルエレクトロニクス機器１（PEi）の携帯音楽再生装置上のプロファイルはダイヤルアップでホームサーバ９（HS）へアクセスし、管理されている音楽をダウンロードして再生する。
なお、プロファイル及びサーバの実装次第でリアルタイム処理も可能となる。
【００６１】
パーソナルエレクトロニクス機器１（PEi）がPDA、ノート型PCなどの携帯端末装置の場合には、次のようになる。
まず、ユーザがデジタルカメラなどの録画機で取得した画像データを直接記録媒体を介してホームサーバ９（HS）に保存させて管理する。なお、画像データはプロファイル取得後にアップロードしてもよい。画像データに限らず、データはその他個人情報など何でもよい。
【００６２】
ユーザは通信事業者よりモデム通信機器３（MS）を購入して、パーソナルエレクトロニクス機器１（PEi）の携帯端末装置とモデム通信機器３（MS）をUSB2を介して接続する。
【００６３】
パーソナルエレクトロニクス機器１（PEi）の携帯端末装置とモデム通信機器３（MS）の双方のネゴシエーションにより画像処理やデータ処理などの描画特化された描画用プロファイルをアプリケーションサーバ８（AS）よりパーソナルエレクトロニクス機器１（PEi）にダウンロードする。
【００６４】
パーソナルエレクトロニクス機器１（PEi）の携帯端末装置上のプロファイルはダイヤルアップでホームサーバ９（HS）へアクセスし、管理されている画像データをダウンロードして再生する。
【００６５】
このようにして、移動先で個人データの編集や先日録画した映画やテレビ番組を携帯端末装置上で再生して楽しむことができる。
【００６６】
パーソナルエレクトロニクス機器１（PEi）がカメラ一体型記録装置の場合には、次のようになる。
ユーザは通信事業者よりモデム通信機器３（MS）を購入して、パーソナルエレクトロニクス機器１（PEi）のカメラ一体型記録装置とモデム通信機器３（MS）をUSB2を介して接続する。
【００６７】
パーソナルエレクトロニクス機器１（PEi）のカメラ一体型記録装置とモデム通信機器３（MS）の双方のネゴシエーションによりパーソナルエレクトロニクス機器１（PEi）のカメラ一体型記録装置の描画処理に特化された描画用プロファイルをダウンロードする。
【００６８】
子供の運動会等で父と母がそれぞれの場所で子供のデータをパーソナルエレクトロニクス機器１（PEi）のカメラ一体型記録装置により記録し、それぞれホームサーバ９（HS）へアップロードする。
【００６９】
これにより、運動会の様子をパーソナルエレクトロニクス機器１（PEi）のカメラ一体型記録装置により撮影しながら別の場所にいる子供の様子をホームサーバ９（HS）からダウンロードしてモニタ表示することができる。
このプロファイルでは上記携帯端末装置の例の機能を満たすことができる。
【００７０】
パーソナルエレクトロニクス機器１（PEi）が車載情報端末装置の場合には、次のようになる。
ユーザは通信事業者よりモデム通信機器３（MS）を購入して、パーソナルエレクトロニクス機器１（PEi）の車載情報端末装置とモデム通信機器３（MS）をUSB2を介して接続する。
【００７１】
パーソナルエレクトロニクス機器１（PEi）の車載情報端末装置とモデム通信機器３（MS）の双方のネゴシエーションによりパーソナルエレクトロニクス機器１（PEi）の車載情報端末装置の車載用に特化された車載用プロファイルをダウンロードする。
【００７２】
パーソナルエレクトロニクス機器１（PEi）の車載情報端末装置からホームサーバ９（HS）にアクセスすることで、パーソナルエレクトロニクス機器１（PEi）の車載情報端末装置により個人情報のアクセスや、交通情報の取得が可能となる。
この場合、網接続によりハンズフリー機器とすることができる。
【００７３】
これらの例はいずれもネットワーク接続により、ホームサーバエンターテーメントを実現するキーデバイスを接続することによって実現できる。
【００７４】
つまりここで提案するネットワークビジネスによれば、モデム通信機器３（MS）に接続されるパーソナルエレクトロニクス機器１（PEi）機器の機能毎に割り当てられる識別番号であるESN（PE-ESN）毎にプロファイルを提供する製造業者が利益を得て、ネットワーク接続課金として通信事業者が利益を得ることができる。
【図面の簡単な説明】
【００７５】
【図１】プロファイルによるネットワーク接続システムを示す図である。
【図２】ホームサーバ、モデム通信機器及びパーソナルエレクトロニクス機器のブロック図である。
【図３】接続タイムチャートである。
【符号の説明】
【００７６】
１…パーソナルエレクトロニクス機器（PEi）、２…USB、３…モデム通信機器（MS）、４…アクセスネットワーク（AN）、５…移動通信交換局（MSN）、６…インターネット、７…コンテンツサーバ、８…アプリケーションサーバ（AS）、９…ホームサーバ（HS）、１０…ホームサーバマネージャ（HS-MGR）、１１、１２…電話番号（IMSI）及び識別番号（PE-ESN）、１３…コンテンツ、１４…プロファイルダウンロード、１５…プロファイル、１６…プライベートキー、１７…プロファイル、１８…アプリケーション、１９…データダウンロード／アップロード、２１…制御ライン、２２…データライン、２３…制御部、２４…メモリ、２５…USB通信部、２６…制御ライン、２７…データライン、２８…制御部、２９…通信回路、３０…メモリ、３１…USB通信部、３２…制御ライン、３３…データライン、３４…制御部、３５…メモリ、３６…スピーカ、３７…表示部、４１…ネゴシエーション、４２…発呼、４３…プロファイル要求、４４…プロファイルダウンロード、４５…IMSI電話番号登録、４６…PE-ESN登録、４７…秘密鍵生成、４８…プロファイル起動、４９…IMSI要求、５０…IMSI返信、５１…秘密鍵生成、５２…発呼要求、５３…発呼、５４…接続要求、５５…認証要求、５６…認証処理、５７…暗号化データのサービス開始、５８…切断要求
【図１】
2005159471.tif 000003
【図２】
2005159471.tif 000004
【図３】
2005159471.tif 000005